(57)【要約】【課題】電気製品の制御プログラムを更新する際、使用者の利便性が向上する携帯機器を提供する。【解決手段】テレビ２０と通信可能な第１通信部１２と、通信網１００を介して外部サーバ３０と通信可能な第２通信部１３と、第１通信部１２を介して取得したテレビ３０にインストールされている制御プログラム２６ａのバージョン情報と第２通信部１３を介して取得した外部サーバ３０に格納されている制御プログラムのバージョン情報とを比較して外部サーバ３０に格納されている制御プログラムがより新しいと判断した場合に第２通信部１３を介して外部サーバ３０に格納されている制御プログラムを受信して第１通信部１２を介してテレビ２０に送信する制御部１１とを有する。【選択図】図１
2016004415.tif 000002
【特許請求の範囲】
【請求項１】
電気製品と通信可能な第１通信部と、
通信網を介して外部サーバと通信可能な第２通信部と、
第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部と、を有する携帯機器。
【請求項２】
前記電気製品にインストールされている制御プログラムのバージョン情報に基づいて第２通信部が通信する前記外部サーバを決定する請求項１に記載の携帯機器
【請求項３】
インストール先の携帯機器を請求項１又は請求項２に記載の携帯機器として機能させるプログラム。
【請求項４】
制御プログラムがインストールされた電気製品と、前記電気製品と通信可能な第１通信部と通信網を介して制御プログラムが格納された外部サーバと通信可能な第２通信部とを有する携帯機器と、を備える制御プログラム更新システムであって、
前記携帯機器は第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部を有する制御プログラム更新システム。
【発明の詳細な説明】
【技術分野】
【０００１】
本発明は電気製品にインストールされている制御プログラムの更新を行う為の携帯機器、プログラム及び制御プログラム更新システムに関する。
【背景技術】
【０００２】
一般に、外部サーバとの通信を行う通信部を有さないテレビはインターネットを介して制御プログラムを新しいバージョンに自動更新することができない。このため、インターネットに接続されたパソコンを使用してメーカのｗｅｂページから新しい制御プログラムをダウンロードし、ＵＳＢメモリ等を介してテレビにアップデートする必要がある。
【先行技術文献】
【特許文献】
【０００３】
【特許文献１】特開平７−２７１６９２号公報
【発明の概要】
【発明が解決しようとする課題】
【０００４】
しかしながら、テレビの制御プログラムが新しいバージョンか否か使用者が定期的にメーカのｗｅｂページを確認する必要があり、使用者にとって利便性が悪いという問題があった。
【０００５】
本発明は、上記の問題を解決するためになされたもので、電気製品の制御プログラムを更新する際、使用者の利便性が向上する携帯機器を提供することを目的とする。また、本発明の他の目的は、そのような携帯機器の動作を制御するプログラムを提供することである。また、本発明の他の目的は、そのような携帯機器を有する制御プログラム更新システムを提供することである。
【課題を解決するための手段】
【０００６】
上記目的を達成するために本発明の携帯機器は、電気製品と通信可能な第１通信部と、通信網を介して外部サーバと通信可能な第２通信部と、第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部と、を有する。
【０００７】
この構成によると、携帯機器の制御部が第２通信部を介して外部サーバからより新しい制御プログラムを受信して第１通信部を介して電気製品に送信する。
【０００８】
また、上記構成の携帯機器において、前記電気製品にインストールされている制御プログラムのバージョン情報に基づいて第２通信部が通信する前記外部サーバを決定することが好ましい。
【０００９】
また、上記目的を達成するために本発明のプログラムは、インストール先の携帯機器を上記構成の携帯機器として機能させる。
【００１０】
また、上記目的を達成するために本発明の制御プログラム更新システムは、  制御プログラムがインストールされた電気製品と、前記電気製品と通信可能な第１通信部と通信網を介して制御プログラムが格納された外部サーバと通信可能な第２通信部とを有する携帯機器と、を備える制御プログラム更新システムであって、前記携帯機器は第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部を有する。
【発明の効果】
【００１１】
本発明の携帯機器、プログラム及び制御プログラム更新システムによれば、携帯機器の制御部が電気製品にインストールされている制御プログラムのバージョン情報と外部サーバに格納されている制御プログラムのバージョン情報とを比較し、外部サーバに格納された制御プログラムが新しければ、より新しい制御プログラムを電気製品に送信する。これにより、電気製品の制御プログラムを更新する際、使用者の利便性を向上することができる。
【図面の簡単な説明】
【００１２】
【図１】本発明の第１実施形態に係る制御プログラム更新システムの構成を示す図
【図２】本発明の第１実施形態に係る携帯電話の構成を示すブロック図
【図３】本発明の第１実施形態に係るテレビの構成を示すブロック図
【図４】本発明の第１実施形態に係る制御プログラム更新システムの動作を示す図
【図５】本発明の第２実施形態に係る制御プログラム更新システムの動作を示す図
【発明を実施するための形態】
【００１３】
以下に本発明の実施形態を、図面を参照しながら説明する。図１は本発明に係る制御プログラム更新システム１の構成を示す図である。制御プログラム更新システム１は携帯電話（携帯機器）１０、テレビ（電気製品）２０を含んで構成される。
【００１４】
携帯電話１０及びテレビ２０はＭＨＬ（Ｍｏｂｉｌｅ Ｈｉｇｈ−ｄｅｆｉｎｉｔｉｏｎ Ｌｉｎｋ）に対応した機器であり、ＭＨＬ規格に対応した有線の伝送ケーブル（以下、ＭＨＬケーブルという）５０を介して相互に接続されている。ＭＨＬケーブル５０は映像信号や音声信号の伝送を行うデータライン（ＴＭＤＳライン）と、制御コマンドの伝送を行うＣＢＵＳラインと、機器に電力を供給するための電源ラインを有する。携帯電話１０及びテレビ２０はＣＢＵＳラインを介して制御コマンドを送ることができる。これにより、携帯電話１０及びテレビ２０はＣＥＣ（Ｃｏｎｃｕｍｅｒ  Ｅｌｅｃｔｒｏｎｉｃｓ  Ｃｏｎｔｒｏｌ）機能を有し、携帯電話１０又はテレビ２０の一方から他方の動作を制御することができる。
【００１５】
携帯電話１０は通信網１００を介して外部サーバ３０と接続されている。通信網１００は複数のネットワークを相互接続して構築された広域通信網である。通信網１００として具体的に、３Ｇ（３ｒｄ Ｇｅｎｅｒａｔｉｏｎ）ネットワーク、４Ｇ（４ｒｄ Ｇｅｎｅｒａｔｉｏｎ）ネットワークまたはＷｉＦｉ（Ｗｉｒｅｌｅｓｓ Ｆｉｄｅｌｉｔｙ）ネットワーク等がある。携帯電話１０は通信網１００に接続されることにより、音声通信やデータ通信を行うことができる。具体的には、通信網１００を介して他の携帯電話と通話したり、外部サーバ３０とデータの送受信を行うことができる。
【００１６】
外部サーバ３０にはテレビ２０の制御プログラム３０ａが格納されている。また、外部サーバ３０は通信網１００を介して携帯電話１０に制御プログラム３０ａを送信することができる。
【００１７】
〈携帯電話の構成〉
図２は携帯電話１０の内部構成を示すブロック図である。図２に示すように、携帯電話１０は制御部１１、第１通信部１２、第２通信部１３、表示部１４、メモリ１５、音声を入力するマイク部１６、音声を出力するスピーカ部１７を含む。
【００１８】
第１通信部１２はＭＨＬケーブル５０のＣＢＵＳラインを介してテレビ２０と制御コマンドの送受信を行い、受信した制御コマンドを制御部１１に転送する。また、外部サーバ３０から受信した制御プログラム３０ａもＭＨＬケーブル５０のＣＢＵＳラインを介してテレビ２０へ送信することができる。
【００１９】
第２通信部１３はアンテナ１３ａを介して通信網１００に接続される。これにより、携帯電話１０の基地局に対して無線信号の送受信を行うことができる。具体的には、第２通信部１３はマイク部１６に入力された音声データを無線信号として送信し、相手先の音声データを無線信号として受信する。また、外部サーバ３０から制御プログラム３０ａを無線信号として受信する。
【００２０】
表示部１４は使用者によって操作され、操作ボタンとして機能するタッチパネル（入力部）１４ａを有する。使用者はタッチパネル１４ａに触れることにより、携帯電話１０の各種操作を行うことができる。また、ＭＨＬケーブル５０を介してテレビ２０の各種操作も行うことができる。
【００２１】
メモリ１５は制御部１１を動作させるための制御プログラム１５ａや、テレビ２０の制御プログラム２６ａの更新を行うためのプログラム１５ｂ（以下、バージョン更新プログラム１５ｂという）を格納している。バージョン更新プログラム１５ｂは外部サーバ３０に格納されている制御プログラムがテレビ２０にインストールされている制御プログラム２６ａより新しい場合に外部サーバ３０から制御プログラム３０ａを受信してテレビ２０に送信するアプリケーションである。また、メモリ１５にはテレビ２０に送信するデータを一時的に保存するスクラッチパッドメモリ１５ｃを有する。
【００２２】
制御部１１は使用者によるタッチパネル１４ａの操作に基づいて、携帯電話１０の各部を制御する。また、制御部１１は使用者によってバージョン更新プログラム１５ｂの起動が指示されると、バージョン更新プログラム１５ｂをメモリ１５から読み取り、起動する。また、テレビ２０からの制御コマンドを受信するとそのコマンドに基づいて各部を制御する。
【００２３】
〈テレビの構成〉
次に、テレビ２０の内部構成を、図３のブロック図を用いながら説明する。図３に示すように、テレビ２０は制御部２１、第１通信部２２、チューナ部２３、表示部２４、スピーカ部２５、メモリ２６、リモコン信号受信部２７を備える。
【００２４】
第１通信部２２はＭＨＬケーブル５０のＣＢＵＳラインを介して携帯電話１０と制御コマンドの送受信を行う。
【００２５】
チューナ部２３はアンテナ２３ａに接続され、アンテナ２３ａを介して放送局から配信される各チャンネルのデジタル放送信号を受信する。チューナ部２３は受信されたデジタル放送信号に対し、復調処理や誤り訂正処理等を行い、映像信号、音声信号、ＳＩ（Ｓｅｒｖｉｃｅ Ｉｎｆｏｒｍａｔｉｏｎ）データを抽出して制御部２１に出力する。なお、ＳＩデータにはテレビ番組の番組情報が格納されている。
【００２６】
表示部２４はチューナ部２３によって受信されたテレビ番組の映像を表示する。スピーカ部２５は、チューナ部２３によって受信されたテレビ番組の音声を出力する。
【００２７】
メモリ２６は制御部２１を動作させるための制御プログラム２６ａを格納している。また、メモリ２６には携帯電話１０に送信するデータを一時的に保存するスクラッチパッドメモリ２６ｂを有する。
【００２８】
リモコン信号受信部２７はリモコン（不図示）から受信した赤外線信号を電気信号に変換して制御部２１に転送する。
【００２９】
制御部２１はテレビ２０の各部を制御する。また、リモコンや携帯電話１０からの制御コマンドを受信するとそのコマンドに基づいて各部を制御する。
【００３０】
〈制御プログラムのバージョン更新の処理〉
次に携帯電話１０を用いた制御プログラムのバージョン更新の処理について、図４を用いながら説明する。なお、携帯電話１０とテレビ２０とがＭＨＬケーブル５０を介して接続されているものとする。
【００３１】
最初に、使用者がタッチパネル１４ａを操作してバージョン更新プログラム１５ｂの起動を指示すると、携帯電話１０の制御部１１がテレビ２０に制御プログラム２６ａのバージョン情報が格納されている場所の通知を要求する制御コマンドを送信する。
【００３２】
テレビ２０の制御部２１は受信した制御コマンドに基づき、メモリ２６のスクラッチパッド２６ｂに制御プログラム２６ａのバージョン情報を保存し、当該保存場所を制御コマンドで携帯電話１０に送信する。携帯電話１０の制御部１１はテレビ２０から受信した制御コマンドに基づいてテレビ２０の制御プログラム２６ａのバージョン情報を取得し、メモリ１５に一時保存する。
【００３３】
次に、携帯電話１０の制御部１１は第２通信部１３を介して外部サーバ３０に格納されている制御プログラム３０ａのバージョン情報を問合せ、テレビ２０の制御プログラム２６ａのバージョン情報と比較する。外部サーバ３０に格納されている制御プログラム３０ａがより新しいと判断した場合に第２通信部１３を介して外部サーバ３０から制御プログラム３０ａを受信する。
【００３４】
なお、制御プログラム２６ａのバージョン情報には制御プログラム２６ａのメーカ情報等が含まれており、制御部１１は制御プログラム２６ａのバージョン情報に基づいて通信先の外部サーバ３０を決定する。
【００３５】
次に、携帯電話１０の制御部１１は外部サーバ３０から受信した制御プログラム３０ａをテレビ２０に送信する。その後、携帯電話１０の表示部１４にテレビ２０が制御プログラム３０ａのアップデートを行うか否かを選択する選択画面を表示する。使用者がタッチパネル１４ａを操作してアップデートの実行を指示すると、携帯電話１０の制御部１１がテレビ２０にアップデート開始を指示する制御コマンドをテレビ２０に送信する。
【００３６】
なお、制御プログラム３０ａのアップデートを行うか否かの選択画面はテレビ２０の表示部２４に表示してもよい。このとき、使用者がテレビ２０を操作してアップデート開始の指示をテレビ２０の制御部２１に行ってもよい。なお、テレビ２０の操作はリモコン（不図示）を介して行ってもよい。
【００３７】
アップデート開始を指示する制御コマンドを受信したテレビ２０の制御部２１はアップデートを実行し、アップデート終了後に携帯電話１０にアップデートが終了したことを通知する。なお、アップデート終了後にテレビ２０の表示部２４に制御プログラム３０ａの更新内容を表示してもよい。
【００３８】
本実施形態によれば、携帯電話１０の制御部１１がテレビ２０にインストールされている制御プログラム２６ａのバージョン情報と外部サーバ３０に格納されている制御プログラム３０ａのバージョン情報とを比較し、外部サーバ３０に格納された制御プログラム３０ａがより新しければ、制御プログラム３０ａをテレビ２０に送信する。これにより、テレビ２０の制御プログラム２６ａを更新する際、使用者の利便性が向上する。
【００３９】
また、ＭＨＬ規格のＭＨＬケーブル５０を介して携帯電話１０とテレビ２０が双方向に通信可能に接続されているため、制御プログラム２６ａの更新を携帯電話１０の操作のみで行うことができる。
【００４０】
＜第２実施形態＞
図５は第２実施形態に係る制御プログラム更新システム１の動作を示す図である。なお、第１実施形態と同一部分は同一符号を付して説明を省略する。第２実施形態では、バージョン更新プログラム１５ｂを予めテレビ２０のメモリ２６に格納しておき、テレビ２０から携帯電話１０へバージョン更新プログラム１５ｂを送信する。
【００４１】
具体的には、携帯電話１０とテレビ２０とがＭＨＬケーブル５０を介して接続されたことが検知されて携帯電話１０にバージョン更新プログラム１５ｂがインストールされていなければ、携帯電話１０の制御部１１がテレビ２０にバージョン更新プログラム１５ｂが格納されている場所の通知を要請する制御コマンドを送信する。
【００４２】
テレビ２０の制御部２１は受信した制御コマンドに基づき、メモリ２６のスクラッチパッドメモリ２６ｂにバージョン更新プログラム１５ｂを保存し、当該保存場所を制御コマンドで携帯電話１０に送信する。携帯電話１０の制御部１１はテレビ２０から受信した制御コマンドに基づいてバージョン更新プログラム１５ｂを取得し、メモリ１５に保存する。
【００４３】
携帯電話１０の制御部１１は取得したバージョン更新プログラム１５ｂをインストールする。その後、バージョン更新プログラム１５ｂを起動すると、制御部１１はインストールしたバージョン更新プログラム１５ｂが最新のバージョンか否かを第２通信部１３を介してメーカのＷｅｂページに問い合わせる。
【００４４】
最新のバージョンでない場合、携帯電話１０はメーカのＷｅｂページから最新のバージョンプログラムを取得してプログラムをアップデートする。その後、第１実施形態と同様に携帯電話１０の制御部１１がテレビ２０の制御プログラム２６ａのバージョン情報の取得を開始する。なお、バージョン更新プログラム１５ｂのインストールはメーカのＷｅｂページに最新のバージョンか否かを問い合わせる前に行わず、最新のプログラムを取得した後に行ってもよい。
【００４５】
本実施形態により、使用者はバージョン更新プログラム１５ｂのダウンロード場所を探す手間が省かれ、最新のバージョン更新プログラム１５ｂを携帯電話１０にインストールすることができる。したがって、使用者の利便性をより向上することができる。
【００４６】
なお、第１、２実施形態では携帯機器として携帯電話１０を利用し、電気製品としてテレビ２０を利用した場合を用いて説明しているが、広域通信網に接続可能な端末装置であって、テレビ２０と通信可能で制御プログラム２６ａのバージョン情報を取得して新たな制御プログラム３０ａを送信することができれば携帯電話１０以外でもよい。例えば、携帯電話１０以外にＰＤＡ、ノートパソコン、タブレット端末等において実施することができる。
【００４７】
また、テレビ２０以外の電気製品でも携帯電話１０と制御プログラム２６ａのバージョン情報を送信可能な規格に対応していれば、テレビ２０以外の電気製品においても実施することができる。
【００４８】
また、携帯機器はＭＨＬケーブル５０の代わりに、ＨＤＭＩ（登録商標）（Ｈｉｇｈ−Ｄｅｆｉｎｉｔｉｏｎ Ｍｕｌｔｉｍｅｄｉａ Ｉｎｔｅｒｆａｃｅ）ケーブルを用いて制御プログラム２６ａのバージョン情報を取得してもよい。
【符号の説明】
【００４９】
１          制御プログラム更新システム
１０        携帯電話（携帯機器）
１１、２１  制御部
１２、２２  第１通信部
１３        第２通信部
１４、２４  表示部
１５、２６  メモリ
１６        マイク部
１７、２５  スピーカ部
２０        テレビ（電気製品）
２３        チューナ部
２７        リモコン信号受信部
３０        外部サーバ
５０        ＭＨＬケーブル
【図１】
2016004415.tif 000003
【図２】
2016004415.tif 000004
【図３】
2016004415.tif 000005
【図４】
2016004415.tif 000006
【図５】
2016004415.tif 000007
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
電気製品と通信可能な第１通信部と、
通信網を介して外部サーバと通信可能な第２通信部と、
第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部と、を有する携帯機器。
【請求項２】
前記電気製品にインストールされている制御プログラムのバージョン情報に基づいて第２通信部が通信する前記外部サーバを決定する請求項１に記載の携帯機器。
【請求項３】
制御プログラムがインストールされた電気製品と、前記電気製品と通信可能な第１通信部と通信網を介して制御プログラムが格納された外部サーバと通信可能な第２通信部とを有する携帯機器と、を備える制御プログラム更新システムであって、
前記携帯機器は第１通信部を介して取得した前記電気製品にインストールされている制御プログラムのバージョン情報と第２通信部を介して取得した前記外部サーバに格納されている制御プログラムのバージョン情報とを比較して前記外部サーバに格納されている制御プログラムがより新しいと判断した場合に第２通信部を介して前記外部サーバに格納されている制御プログラムを受信して第１通信部を介して前記電気製品に送信する制御部を有する制御プログラム更新システム。